(57)【要約】【課題】取り付け後の傾きを抑えるとともに、製造コストの増加を抑えることが可能なマグネットキャッチを提供すること。【解決手段】永久磁石（６０）を収容したケース（２０）を含むマグネットキャッチ（１）において、ケース（２０）は、横方向Ｘにおいて互いに対向する二つの側面（３３０）（３４０）を有するとともに、二つの側面（３３０）（３４０）の各々に設けた一対のアーム部（４０１）（４０２）を含み、一対のアーム部（４０１）（４０２）は、側面（３３０）（３４０）において縦方向Ｙの両側部（３３１）（３４１）に互いに離間して配置してあり、高さ方向Ｚに延びて、高さ方向Ｚの下端部である基端部（４２１）（４２２）が側面（３３０）（３４０）に繋がる一方、高さ方向Ｚの上端部である先端部（４４１）（４４２）が側面（３３０）（３４０）から横方向Ｘの外側に向かって離間し、横方向Ｘに弾性変形可能である。【選択図】図１
2014181457.tif 000002
【特許請求の範囲】
【請求項１】
互いに直交する縦方向と、横方向と、高さ方向とを有する収容ケースの内部に永久磁石を含むマグネットキャッチにおいて、
前記ケースは、前記横方向において互いに対向する二つの側面を有するとともに、二つの前記側面の各々に設けた一対のアーム部を含み、
前記一対のアーム部は、前記側面において前記縦方向の両側部に互いに離間して配置してあり、前記高さ方向に延びて、前記高さ方向の下端部である基端部が前記側面に繋がる一方、前記高さ方向の上端部である先端部が前記側面から前記横方向の外側に向かって離間し、前記横方向に弾性変形可能であることを特徴とする前記マグネットキャッチ。
【請求項２】
前記ケースは、二つの前記側面の各々において前記一対のアーム部の間に設けたスペーサ部を含み、
前記スペーサ部は、前記側面から前記横方向の外側に向かって凸状に形成され、頂部が前記横方向に垂直な平面を成し、
前記頂部は、前記一対のアーム部の前記横方向における外端縁よりも内側に位置する請求項１に記載のマグネットキャッチ。
【請求項３】
前記一対のアーム部の先端部には、前記横方向における外側面に段差面が形成してある請求項１または２に記載のマグネットキャッチ。
【請求項４】
前記ケースは、直方体状に形成されて内部に前記永久磁石を収容する収容部を含む請求項１〜３のいずれかに記載のマグネットキャッチ。
【発明の詳細な説明】
【技術分野】
【０００１】
本発明は、磁力により二つの対象物を近接した状態で保持するマグネットキャッチに関するものである。
【背景技術】
【０００２】
従来、家具の扉等に用いられ、扉の閉鎖状態を保持するマグネットキャッチが知られている。例えば、特開２００２−１４７０９４号公報に記載のマグネットキャッチは、互いに直交する横方向、縦方向及び高さ方向に延びる辺を有する直方体状のケースを備えており、このケースの内部に永久磁石が収容されている。ケースの外周面には、横方向において互いに対向する二つの側面に、各々、高さ方向に延びる一つのアーム部が設けられている。アーム部は、横方向に弾性変形可能であり、アーム部が弾性変形することによって、扉等に形成した取付穴にマグネットキャッチを挿入することができる。マグネットキャッチは、取付穴に挿入された後、アーム部の復元力によって取付穴の内部に固定される。
【先行技術文献】
【特許文献】
【０００３】
【特許文献１】特開２００２−１４７０９４号公報
【発明の概要】
【発明が解決しようとする課題】
【０００４】
従来のマグネットキャッチでは、互いに対向する二つの側面の中央部に、一つのアーム部を設ける構成であるため、縦方向における取付穴の公差が大きい場合、磁力の影響によって取り付けたマグネットキャッチが縦方向に傾く虞がある。このような事態をなくすためには、取付穴とマグネットキャッチとの公差をきつくする必要があるが、公差をきつくすると製造コストが増加するという問題がある。
【０００５】
本発明は、上記実情に鑑みて、取り付け後の傾きを抑えるとともに、製造コストの増加を抑えることが可能なマグネットキャッチを提供することを目的とする。
【課題を解決するための手段】
【０００６】
上記課題を達成するために、本発明が対象とするのは、互いに直交する縦方向と、横方向と、高さ方向とを有する収容ケースの内部に永久磁石を含むマグネットキャッチである。
【０００７】
本発明は、上記マグネットキャッチにおいて、前記ケースは、前記横方向において互いに対向する二つの側面を有するとともに、二つの前記側面の各々に設けた一対のアーム部を含み、前記一対のアーム部は、前記側面において前記縦方向の両側部に互いに離間して配置してあり、前記高さ方向に延びて、前記高さ方向の下端部である基端部が前記側面に繋がる一方、前記高さ方向の上端部である先端部が前記側面から前記横方向の外側に向かって離間し、前記横方向に弾性変形可能であることを特徴とする。
【０００８】
本発明の好ましい実施態様の一つにおいて、前記ケースは、二つの前記側面の各々において前記一対のアーム部の間に設けたスペーサ部を含み、前記スペーサ部は、前記側面から前記横方向の外側に向かって凸状に形成され、頂部が前記横方向に垂直な平面を成し、前記頂部は、前記一対のアーム部の前記横方向における外端縁よりも内側に位置する。
【０００９】
本発明の好ましい実施態様の一つにおいて、前記一対のアーム部の先端部には、前記横方向における外側面に段差面が形成してある。
【００１０】
本発明の好ましい実施態様の一つにおいて、前記ケースは、直方体状に形成されて内部に前記永久磁石を収容する収容部を含む。
【発明の効果】
【００１１】
本発明に係るマグネットキャッチは、ケースが、横方向において互いに対向する二つの側面を有するとともに、二つの側面の各々に設けた一対のアーム部を含み、一対のアーム部は、側面において縦方向の両側部に互いに離間して配置してあり、高さ方向に延びて、高さ方向の下端部である基端部が側面に繋がる一方、高さ方向の上端部である先端部が側面から横方向の外側に向かって離間し、横方向に弾性変形可能であるため、互いに対向する二つの側面において対角に位置するアーム部によって、マグネットキャッチが縦方向に傾くことを抑えることができる。これにより、取付穴とマグネットキャッチとの公差をきつくすることなく、取り付け後の傾きを抑えることができ、その結果、製造コストの増加を抑えることができる。
【図面の簡単な説明】
【００１２】
【図１】本発明の実施の形態であるマグネットキャッチを示す斜視図。
【図２】図１に示したマグネットキャッチの正面図。
【図３】図１に示したマグネットキャッチの側面図。
【図４】図１に示したマグネットキャッチの底面図。
【図５】図１に示したマグネットキャッチのＶ−Ｖ線断面図。
【図６】図１に示したマグネットキャッチの分解斜視図。
【図７】図１に示したマグネットキャッチの取付状態を示す説明図。
【発明を実施するための形態】
【００１３】
以下に、本発明に係るマグネットキャッチの実施の形態を詳細に説明する。尚、本発明は、この実施の形態に限定されるものではない。
【００１４】
図１〜４は、本発明の実施の形態であるマグネットキャッチ１の斜視図、正面図、側面図及び底面図である。図示例のマグネットキャッチ１は、互いに直交する横方向Ｘ、縦方向Ｙ及び高さ方向Ｚを有し、ケース２０と、永久磁石６０と、ヨーク７０と、カバー８０とを含む。尚、本実施の形態では、横方向Ｘのうち、図２の右方に向かう方向を右方といい、図２の左方に向かう方向を左方という。また、縦方向Ｙのうち、図４の下方に向かう方向を前方といい、図４の上方に向かう方向を後方という。また、高さ方向Ｚのうち、図２の上方に向かう方向を上方といい、図２の下方に向かう方向を下方という。
【００１５】
ケース２０は、永久磁石６０を収容する合成樹脂製の筐体であり、収容部３０と、アーム部４０と、スペーサ部５０とを有している。収容部３０、アーム部４０及びスペーサ部５０は、一体成型されている。収容部３０は、内部に収容空間を有しており、アーム部４０及びスペーサ部５０は、収容部３０の外周面３２に設けられている。
【００１６】
本実施の形態において収容部３０は、図１〜４に示すように、横方向Ｘ、縦方向Ｙ及び高さ方向Ｚに延びる辺を有する直方体状に形成されており、横方向Ｘにおいて互いに対向する二つの側面である左側面３３０及び右側面３４０、並びに、縦方向Ｙにおいて互いに対向する二つの側面である前側面３５０及び後側面３６０を有している。また、収容部３０は、高さ方向Ｚにおいて互いに対向し、上方に位置する上側面３７０と、下方に位置する下側面３８０とを有している。上側面３７０は、高さ方向Ｚに垂直な平面状に形成されている。収容部３０は、横方向Ｘにおける寸法が、縦方向Ｙにおける寸法よりも長く形成されている。
【００１７】
図５及び６に示すように、下側面３８０には、四角形状の開口３８１が形成されており、収容部３０の上方の端部に向かって延びる四角形状の孔３９が形成されている。この孔３９は、収容空間を形成している。収容部３０の下方の端部には、孔３９の開口面積が広くなるように横方向の外側（縦方向Ｙに延びてケース２０の横方向Ｘの寸法を二等分する横中心線Ｑを基準として、遠方側）に向かって凹状に形成された窪み３８２が形成されている。孔３９は、収容部３０の上方の端部において閉塞されている。収容部３０の上方の端部には、横方向Ｘ及び縦方向Ｙに向けて延在する鍔部３７１が形成されている。鍔部３７１の上面は、上側面３７０と面一となるように形成されている。
【００１８】
アーム部４０は、マグネットキャッチ１を取付対象に形成された取付穴に固定するものであり、収容部３０の外周面３２に設けられている。本実施の形態においてアーム部４０は、横方向Ｘにおいて互いに対向する左側面３３０と右側面３４０の各々に設けられており、左側面３３０及び右側面３４０において、縦方向Ｙに対向し、且つ高さ方向Ｚに延びる両側部３３１，３４１（図３及び４参照）に対を成して形成されている。
【００１９】
図２及び３に示すように、右側面３４０に設けられた一対のアーム部４０２は、右側面３４０において縦方向Ｙの両側部３４１に互いに離間して配置され、高さ方向Ｚに延びて長尺状に形成されており、高さ方向Ｚにおいて下方に位置する基端部４２２が、右側面３４０と繋がっている。高さ方向Ｚの上方に位置する先端部４４２は、収容部３０の右側面３４０から横方向Ｘの外側、すなわち横方向Ｘの右方側に向かって離間するように延びている。一対のアーム部４０２は、各々、横方向Ｘに弾性変形可能に形成されている。先端部４４２には、アーム部４０１が弾性変形する方向である横方向Ｘの外側面、すなわち右方側の側面に段差面４６２が形成されている。
【００２０】
左側面３３０に設けられた一対のアーム部４０１は、左側面３３０において縦方向Ｙの両側部３３１に互いに離間して配置され、高さ方向Ｚに延びて長尺状に形成されており、高さ方向Ｚにおいて下方に位置する基端部４２１が、左側面３３０と繋がっている。高さ方向Ｚの上方に位置する先端部４４１は、収容部３０の左側面３３０から横方向Ｘの外側、すなわち横方向Ｘの左方側に向かって離間するように延びている。一対のアーム部４０１は、各々、横方向Ｘに弾性変形可能に形成されている。先端部４４１には、アーム部４０１が弾性変形する方向である横方向Ｘの外側面、すなわち左方側の側面に段差面４６１が形成されている。
【００２１】
本実施の形態において、左側面３３０に位置する一対のアーム部４０１と、右側面３４０に位置する一対のアーム部４０２とは、横中心線Ｑを軸として、左右対称となるように形成されている。アーム部４０は、各々、縦方向Ｙの寸法が基端部４２１，４２２から先端部４４１，４４２にかけて一定となるように形成されている。また、アーム部４０の横方向Ｘにおける寸法は、図２に示すように、基端部４２１，４２２から先端部４４１，４４２の下端４４ａに向けて漸次大きくなり、先端部４４１，４４２の下端４４ａから先端部４４１，４４２の上端４４ｂに向けて漸次小さくなるように形成されている。図２に示すように、アーム部４０の先端縁４４ｃは、鍔部３７１の下面３７２に近接する位置まで延びている。
【００２２】
スペーサ部５０は、左側面３３０及び右側面３４０に位置する一対のアーム部４０１，４０２の間に各々設けてあり、アーム部４０１，４０２の横方向Ｘにおける弾性変形を阻害しない位置に介在している。本実施の形態において、左側面３３０に位置するスペーサ部５０１と、右側面３４０に位置するスペーサ部５０２とは、横中心線Ｑを軸として左右対称となるように形成されている。
【００２３】
図１及び５に示すように、右側面３４０に位置するスペーサ部５０２は、右側面３４０から横方向Ｘの外側、すなわち横方向Ｘの右方側に向かって凸状に形成されており、凸状の頂部５２２が、横方向Ｘに垂直な平面となるように形成されている。この頂部５２２は、一対のアーム部４０２の先端部４４２の外端縁４４ｄよりも横方向Ｘにおいて内側（横中心線Ｑに近接する側）、すなわち左方側に位置している。また、頂部５２２は、図２及び５の仮想線で示すように、一対のアーム部４０２が横方向Ｘにおいて最内側に弾性変形した場合に、アーム部４０２の先端部４４２の外端縁４４ｄよりも横方向Ｘの外側に位置することが可能となるように形成されている。図１、４及び６に示すように、本実施の形態において頂部５２２は、アーム部４０２の基端部４２２において、右側面３４０と連結している部位の横方向Ｘにおける外側面４２ａと面一となるように形成されている。
【００２４】
左側面３３０に位置するスペーサ部５０１は、左側面３３０から横方向Ｘの外側、すなわち横方向Ｘの左方側に向かって凸状に形成されており、凸状の頂部５２１が、横方向Ｘに垂直な平面となるように形成されている。この頂部５２１は、一対のアーム部４０１の先端部４４１の外端縁４４ｄよりも横方向Ｘにおいて内側、すなわち右方側に位置している。また、頂部５２１は、図２及び５の仮想線で示すように、一対のアーム部４０１が横方向Ｘにおいて最内側に弾性変形した場合に、アーム部４０１の先端部４４１の外端縁４４ｄよりも横方向Ｘの外側に位置することが可能となるように形成されている。本実施の形態において頂部５２１は、アーム部４０１の基端部４２１において、左側面３３０と連結している部位の横方向Ｘにおける外側面４２ｂと面一となるように形成されている。
【００２５】
永久磁石６０は、収容部３０の収容空間に収容されている。本実施の形態では、図５及び６に示すように、収容空間に直方体状の二つの永久磁石６１，６２を横方向Ｘに並べた状態で収容している。一方の永久磁石６１は、上面（高さ方向Ｚにおいて上方を向く面）がＮ極となるように配置されており、他方の永久磁石６２は、上面がＳ極となるように配置されている。永久磁石６１，６２は、ケース２０とヨーク７０とによって挟持された状態で、収容空間内に固定されている。
【００２６】
ヨーク７０は、永久磁石６０の吸着力を増幅するものであり、ケース２０の収容空間に収容されている。本実施の形態において、ヨーク７０は、四角形状の鋼製の板材からなる。図５及び６に示すように、本実施の形態では、ヨーク７０として二枚の鋼製の板材を高さ方向Ｚに重ねて用いている。上方に位置する一方のヨーク７１は、横方向Ｘにおける中央部に凸状に形成された隔離部７３を有しており、この隔離部７３によって、二つの永久磁石６１、６２が左右に離間している。下方に位置する他方のヨーク７２は、表面及び裏面が平面に形成されている。ヨーク７１，７２は、各々、横方向Ｘ及び縦方向Ｙの寸法が、収容部３０の孔３９の横方向Ｘ及び縦方向Ｙにおける内部寸法と、各々等しくなるように形成されている。ヨーク７１，７２は、カバー８０によって支持され、収容空間内に固定されている。
【００２７】
カバー８０は、ケース２０の下側面３８０に形成された開口３８１を閉塞するものである。カバー８０は、底蓋部８２と、脚部８６とを有している。底蓋部８２は、ケース２０の下側面３８０に形成された開口３８１を閉塞する部位であり、板状に形成されている。底蓋部８２は、収容部３０の窪み３８２に嵌合するように、横方向Ｘにおける両端部に段差部８３が形成されており、この段差部８３において、ケース２０と接合されている。脚部８６は、底蓋部８２の上面８４から上方に向かって突出する部位である。図５に示すように、脚部８６とヨーク７０との間には、高さ方向Ｚにおける収容空間の隙間を埋める板状の充填材９０が配置されており、脚部８６は、充填材９０を介してヨーク７０を下方から支持し、ヨーク７０及び永久磁石６０を収容空間内に固定している。
【００２８】
次に、上述したマグネットキャッチ１の作用を説明する。図７（a）に示すように、本実施の形態であるマグネットキャッチ１は、家具の扉等の取付対象１００に形成された取付穴１１０に挿入・固定して使用される。取付穴１１０の形状は、マグネットキャッチ１の形状に合わせて形成されている。
【００２９】
マグネットキャッチ１を取付穴１１０に取り付ける場合、鍔部３７１が取付穴の開口側に位置し、カバー８０が取付穴１１０の奥側に位置するようにして、取付穴１１０にマグネットキャッチ１を強制的に挿入する。図７（ａ）の仮想線で示すように、マグネットキャッチ１のアーム部４０１，４０２は、横方向Ｘの内側に弾性変形し、これにより、マグネットキャッチ１は、取付穴１１０に挿入可能となる。
【００３０】
ケース２０の鍔部３７１が取付対象１００に当接すると、取付穴１１０の内部への挿入が阻止され、アーム部４０１，４０２の復元力により、マグネットキャッチ１が取付穴１１０の内部に固定された状態となる。マグネットキャッチ１は、図７（ａ）〜（ｄ）に示すように、段差面４６１，４６２に適応する複数の取付対象１００，１０１，１０２，１０３に適用することができる。
【００３１】
マグネットキャッチ１と取付穴１１０との公差が大きく設定されている場合、縦方向Ｙにおいて、ケース２０の前側面３５０及び後側面３６０と、取付穴１１０との間に隙間が生じることがある。隙間がある場合、マグネットキャッチ１は、取付対象１００である扉の開閉に伴って磁力の影響を受けるため、縦方向Ｙに傾こうとするが、左側面３３０と右側面３４０とにおいて、対角に位置するアーム部４０１ａ，４０２ａ及びアーム部４０１ｂ，４０２ｂ（図４参照）の弾性付勢力によって、マグネットキャッチ１の傾きを抑制することができる。
【００３２】
本発明に係るマグネットキャッチ１は、ケース２０が、横方向Ｘにおいて互いに対向する左側面３３０及び右側面３４０を有するとともに、左側面３３０及び右側面３４０の各々に設けた一対のアーム部４０１，４０２を含む。一対のアーム部４０１，４０２は、左側面３３０及び右側面３４０において縦方向Ｙの両側部３３１，３４１に互いに離間して配置してあり、高さ方向Ｚに延びて、高さ方向Ｚの下端部である基端部４２１，４２２が左側面３３０及び右側面３４０に繋がる一方、高さ方向Ｚの上端部である先端部４４１，４４２が側面３３０及び右側面３４０から横方向Ｘの外側に向かって離間し、横方向Ｘに弾性変形可能であるため、互いに対向する左側面３３０及び右側面３４０において対角に位置するアーム部４０１ａ，４０１ｂ、４０１ｂ，４０２ｂによって、マグネットキャッチ１が縦方向Ｙに傾くことを抑えることができる。これにより、取付穴１１０とマグネットキャッチ１との公差をきつくすることなく、取り付け後の傾きを抑えることができ、その結果、製造コストの増加を抑えることができる。
【００３３】
また、本実施の形態では、スペーサ部５０１，５０２を設けることにより、横方向Ｘのズレを抑制することができる。更に、アーム部４０が横方向Ｘにおいて最内側位置まで弾性変形し、劣化が進むことを防止できる。
【００３４】
また、本実施の形態では、段差面４６１，４６２を形成することにより、板厚ｔの異なる複数の取付対象１００，１０１，１０２，１０３に適応することができる。
【００３５】
尚、本実施の形態において、スペーサ部５０は、左側面３３０及び右側面３４０に各々、一つずつ設けられているが、各々の側面に複数設ける構成であってもよい。
【００３６】
尚、上述した実施の形態では、ケース２０の内部に二つの永久磁石６１，６２を収容しているが、永久磁石６０の数は一つであってもよく、三つ以上であってもよい。更に、永久磁石６０のＳ極とＮ極の配置は、適宜変更することができる。例えば、Ｎ極のみ又はＳ極のみを上方に向けて配置してもよく、マグネットキャッチが必要とする吸着力に応じて、適宜変更することができる。
【００３７】
また、上述した実施の形態では、ヨーク７０として二枚の鋼板を用いているが、ヨーク７０の数は一つであってもよいし、三つ以上であってもよい。つまり、ヨークの数や厚さは、マグネットキャッチが必要とする吸着力に応じて適宜変更することができる。
【符号の説明】
【００３８】
１    マグネットキャッチ
２０    ケース
３０    収容部
４０，４０１，４０２，４０１ａ，４０１ｂ，４０２ａ，４０２ｂ    アーム部
４４ｄ    外端縁
５０，５０１，５０２    スペーサ部
３３０    左側面
３３１，３４１    両側部
３４０    右側面
４２１，４２２    基端部
４４１，４４２    先端部
４６１，４６２    段差面
５２１，５２２    頂部
【図１】
2014181457.tif 000003
【図２】
2014181457.tif 000004
【図３】
2014181457.tif 000005
【図４】
2014181457.tif 000006
【図５】
2014181457.tif 000007
【図６】
2014181457.tif 000008
【図７】
2014181457.tif 000009